(57)【要約】      （修正有）【課題】改良された雨傘を提供する。【解決手段】傘面21、軸棒22、上ろくろ、下ろくろ23、主骨24、及び支持骨25からなり、多節形式の軸棒の頂端が上ろくろに固設され、上ろくろ周縁は複数の主骨を枢設して、傘面を支承する。上ろくろは下に延伸した延伸部を形成し、延伸部上に下ろくろを設け、延伸部に一体射出成形された、弾性を備える凸出部を備える。凸出部ははじき26として形成され、その一端は延伸部に連接され、且つ、凸出部の頂部上に、下ろくろを固定することが出来る支承面を形成し、開傘状態の時、凸出部の支承面は、下ろくろの底部を確実に固定して、傘を円滑に開く構造とする。【選択図】図３
0003103459.tif 000002
【実用新案登録請求の範囲】
【請求項１】
改良された雨傘であって、多節形式の軸棒頂端に上ろくろを固定し、前記上ろくろ周縁に複数の主骨を枢設して傘面を支持し、その特徴は、前記上ろくろが下方向に延伸した延伸部を形成し、前記延伸部上に下ろくろを形成し、且つ、前記延伸部上に弾性を備える凸出部を射出し、前記凸出部の一端は前記延伸部に連接され、両側と前記延伸部間にギャップを形成し、且つ、前記凸出部の支承面が下ろくろの底部を確実に固定して、開傘の目的を達成することを特徴とする改良された雨傘。
【請求項２】
前記凸出部は延伸部と一体成形されることを特徴とする請求項１に記載の改良された雨傘。  
【請求項３】
前記凸出部ははじきであることを特徴とする請求項１に記載の改良された雨傘。
【請求項４】
前記延伸部の適当な箇所に、前記軸棒に対称な凸体を設け、且つ、前記下ろくろ内縁周面に、前記凸体と嵌合する凹槽を備え、前記下ろくろが正確に、上下に滑動するよう導引することを特徴とする請求項１に記載の改良された雨傘。
【考案の詳細な説明】
【技術分野】
【０００１】
本考案は、改良型雨傘に関するものであって、特に、雨傘全体が縮小する時、安定して開傘使用ができない問題を解決する改良型雨傘に関するものである。
【背景技術】
【０００２】
公知の雨傘１の主要構造は、図１及び図２で示されるように、傘面１１、軸棒１２、上ろくろ１３、下ろくろ１４、主骨１５、及び支持骨１６からなる。上ろくろ１３周縁には複数の主骨１５を枢設し、傘面１１を支承する。下ろくろ１４周縁は複数の支持骨１６を枢設し、主骨１５を支承する。軸棒１２は二節か多節で、その頂端は上ろくろ１３に固定され、且つ、上ろくろ１３の内管１２２の適当な箇所に長方形の孔１２１を設置し、内管１２２に設けられたはじき１７の弾性ロックに用いると共に、下ろくろ１４を穿設し、下ろくろ１４が軸棒１２上で、上下滑動できるようになっている。雨傘１が開く時、下ろくろ１４が押されてはじき１７に達し、はじき１７が下ろくろ１４の底部に抵接し、下ろくろ１４の支持骨１６が主骨１５を支承し始め、主骨１５が傘面１１全体を支承する。雨傘１を閉じる時、はじき１７を押して、収縮させる。
上述のように、公知の雨具１は、傘の開け閉めができるが、軸棒１２は、二節か多節の設計であるため、傘を閉じる時、傘本体が大きく、故に、収納時に手提げ袋やリュック等の大型の収納袋が必要で、一般の小さな袋では収納できない。また、傘体を縮小しなければいけない時、軸棒１２は多節を呈するが、軸棒１２の外管管径と内管管径の差が大きくなり、開傘時に、管径が最小の内管と外管管径より大きい下ろくろ１４間に大きいギャップが出来、下ろくろ１４が軸棒１２で上下に滑動する時、固定されずに動いてしまい、軸棒１２上のはじき１７は、確実に下ろくろ１４を留めることが出来ず、下ろくろ１４が下方に脱落し、安定した開傘使用が出来ない。
【０００３】
公知の雨傘２は、図３及び図４で示されるように、軸棒２２を四節或いは五節の形式にして、傘体を縮小させると共に、支持骨２５と下ろくろ２３の接合箇所の任意の一端、或いは二端上に、延伸した凸部２７を設け、雨傘２が開く時、延伸した凸部２７は下ろくろ２３により軸棒２２を支承し、軸棒２２が任意に移動するの防ぐ。軸棒２２上のはじき２６と下ろくろ２３底部は大きな相互支承面を備え、下ろくろ２３の支持骨２５に主骨２４を支承させ、主骨２４は傘面２１全体を支承する。雨傘２を閉じる時、はじき２６を押して、雨傘２を閉じる。
上述のように、雨傘２は、上述の雨傘１の傘体を縮小できない欠点を改善しているが、公知の雨傘２の延伸した凸部２７の設計は、雨傘２が開く時、軸棒２２が延伸した凸部２７により留められて、下ろくろ２３を若干回転させて角度を変更しなければ、はじき２６が凸部２７を避けて雨傘を開くことが出来ないため、使用者にとって非常に不便である。
【特許文献１】特開2000-125914
【考案の開示】
【考案が解決しようとする課題】
【０００４】
上述の欠点を改善するため、本考案は、実用的、且つ、応用範囲が広く、産業利用価値に符合する、改良された雨傘を提供する。
【課題を解決するための手段】
【０００５】
本考案の雨傘は、傘面、軸棒、上ろくろ、下ろくろ、主骨、及び支持骨からなり、多節形式の軸棒の頂端が上ろくろに固設され、上ろくろ周縁は複数の主骨を枢設して、傘面を支承する。上ろくろは下に延伸した延伸部を形成し、延伸部上に下ろくろを設け、延伸部に一体射出成形された、弾性を備える凸出部を備える。凸出部ははじきとして形成され、その一端は延伸部に連接され、且つ、凸出部の頂部上に、下ろくろを固定することが出来る支承面を形成し、開傘状態の時、凸出部の支承面は、下ろくろの底部を確実に固定して、傘を円滑に開き、上述の構造により、傘体が縮小するために、安定した開傘使用ができないという問題を解決する。
本考案は、固定部と凸出部の設計により、傘体が縮小する時、安定した開傘使用が出来ない問題を解決することを目的とする。
本考案は、固定部上方の凸体及び下ろくろ内縁周面の凹槽構造により、下ろくろが固定部上で、上下に滑動する時に生じる揺れで、下ろくろに亀裂や変形が生じるのを防ぐことをもう一つの目的とする。
【考案の効果】
【０００６】
安定した開傘使用が可能になる。
【考案を実施するための最良の形態】
【０００７】
図５、図６、図７及び図８を参照すると、本考案の雨傘３は、傘面３１、軸棒３２、上ろくろ３３、下ろくろ３４、主骨３５、及び支持骨３６からなり、多節形式の軸棒３２の頂端が上ろくろ３３に固設され、上ろくろ３３周縁は複数の主骨３５を枢設して、傘面３１を支承する。上ろくろ３３は下に延伸した延伸部３７を形成し、延伸部３７上に下ろくろ３４を設け、下ろくろ３４周縁は複数の支持骨３６が枢設されている。また、延伸部３７に一体射出成形された弾性のある凸出部３８を備える。凸出部３８ははじきとして形成され、その下端は延伸部３７に連接されている。両側と延伸部３７はギャップ３９を形成し、且つ、凸出部３８頂部上に、下ろくろ３４を固定することが出来る支承面３８１を形成する。開傘状態の時、凸出部３８の支承面３８１は、下ろくろ３４の底部３４２を確実に固定することが出来、傘を開くのが非常に円滑である。上述のような構造により、傘体が縮小することで、安定した開傘使用が出来ない問題を解決する。
前述の説明と図を引き続き参照すると、延伸部３７と凸出部３８は一体成形され、延伸部３７の適当な箇所に、軸棒３２の軸方向に対称な凸体３７１が設けられ、且つ、下ろくろ３４内縁周面に、凸体３７１と嵌合される凹槽３４１を設けて、下ろくろ３４が正確に、上下に滑動するように導引して、下ろくろ３４が上下に滑動する時に揺れ動いて、下ろくろが亀裂を生じたり、変形したりするのを防止する。
【０００８】
図９及び図１０で示されるように、開傘する時、まず、下ろくろ３４を凸出部３８まで上に押して、下ろくろ３４が上ろくろ３３に接近する時、凸出部３８の支承面３８１は、下ろくろ３４の底部３４２を確実に固定し、下ろくろ３４に連接した支持骨３６は、主骨３５を支承する。主骨３５は傘面３１全体を支承して、開傘動作を完成する。雨傘３を閉じる時、図１１及び図１２で示されるように、使用者が凸出部３８に施力する時、凸出部３８は内に向かって作用し、支承面３８１を下ろくろ３４の底部３４２から脱離させて、下ろくろ３４を下に滑動させ、この時、使用者は凸出部３８に更に施力することなく、閉傘動作を完成させ、雨傘３が収縮する。
図１３は本考案のもう一つの実施例を示す図で、凸出部３８上端が延伸部３７に連接し、凸出部３８ははじきとして形成され、両側と延伸部３７がギャップ３９を形成しているものである。
上述をまとめると、本考案の長所は以下の通りである。
１、 上述の延伸部と凸出部の構造設計により、本考案の雨傘は、傘本体を縮小する時、はじきが下ろくろを固定できず、傘の安定した開傘使用が出来ない問題を解決する。
２、 上述の固定部上方の凸体及び下ろくろ内縁周面の凹槽の設計により、下ろくろが固定部上で、上下滑動する時に生じる揺れ動きによる、下ろくろの亀裂や変形の問題を防止する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【０００９】
【図１】公知の雨傘の構造を示した説明図である。
【図２】図１の局部拡大図である。
【図３】もうひとつの公知の雨傘の開傘状態を示した説明図である。
【図４】図２の局部拡大図である。
【図５】本考案の雨傘の立体図である。
【図６】図３の局部拡大図である。
【図７】本考案の延伸部と凸出部の側視図である。
【図８】本考案の延伸部と凸出部の立体図である。
【図９】本考案の開傘状態を示した説明図である。
【図１０】図６の局部拡大図である。
【図１１】本考案の閉傘状態を示した説明図である。
【図１２】図７の局部拡大図である。
【図１３】本考案のもう一つの実施例を示した説明図である。
【符号の説明】
【００１０】
１、２、３…雨傘
１１、２１、３１…傘面
１２、２２、３２…軸棒
１２１…長方形の孔
１２２…内管
１３、３３…上ろくろ
１４、２３、３４…下ろくろ
１５、２４、３５…主骨
１６、２５、３６…支持骨
１７、２６…はじき
２７…延伸した凸部
３８…凸出部
３９…ギャップ
３４２…底部
３４１…凹槽
３７１…凸体
３８１…支承面
【図１】
0003103459.tif 000003
【図２】
0003103459.tif 000004
【図３】
0003103459.tif 000005
【図４】
0003103459.tif 000006
【図５】
0003103459.tif 000007
【図６】
0003103459.tif 000008
【図７】
0003103459.tif 000009
【図８】
0003103459.tif 000010
【図９】
0003103459.tif 000011
【図１０】
0003103459.tif 000012
【図１１】
0003103459.tif 000013
【図１２】
0003103459.tif 000014
【図１３】
0003103459.tif 000015